(57)【特許請求の範囲】
【請求項１】
所定距離離れた複数の平行線の上手方向および下手方向に複数の中心をもって前記所定距離の１／２以上の半径をもって円弧状の凸部を形成し、かつ前記上手方向に中心をもって形成された円弧状の凸部と該上手方向の中心に対応する下手方向に中心をもって形成された円弧状の凸部が前記平行線間の中央で交叉するとともに前記上手方向に中心をもって形成された円弧状の凸部と前記下手方向に中心をもって形成された円弧状の凸部が前記平行線上で交互に形成された表地と、前記表地と裏地との間に臭いを消す消臭材層を設けたことを特徴とするクッションカバー。
【請求項２】
前記裏地に、前記表地と同様な円弧状の凸部または縦方向および横方向に所定間隔離れて複数の平行な凸部が形成されていることを特徴とする請求項１記載のクッションカバー。
【請求項３】
前記表地および前記裏地の前記凸部を除いた部分に空気穴が形成されていることを特徴とする請求項１または２記載のクッションカバー。
【請求項４】
前記表地が織物シートで形成されていることを特徴とする請求項１，２または３記載のクッションカバー。
【請求項５】
前記表地が合成皮革シートで形成されていることを特徴とする請求項１，２または３記載のクッションカバー。
【請求項６】
請求項１乃至５のいずれかに記載のクッションカバーによってクッション部材が包まれていることを特徴とするクッション構造体。
【発明の詳細な説明】
【０００１】
【発明の属する技術分野】
本発明はクッションカバーおよびクッション構造体に関する。
【０００２】
【従来の技術】
従来より、寝具用具であるベットやフトンの使用においては、ベットのマットやフトンにシーツを敷いて使用している。
しかし、シーツを敷いたマットやフトンの上に人が寝転んだり寝返りをするとシーツがマットやフトンの表面を滑って、シーツに寝じわが生じると共に、寝転んだり寝返りをする毎にマットやフトンに染み込んだ汗等による悪臭が放出され、不快感を感じる。
【０００３】
また、椅子やソファーに人が腰かけた場合も、マットやフトンの場合と同様にクッション材に染み込んだ汗等による悪臭が放出されると共に、浅く腰をかけて背伸びをした場合は椅子やソファーより滑り落ちることもある。
【０００４】
【発明が解決しようとする課題】
本発明はクッション部材より放出される悪臭を消臭し、滑りを無くすようにしたクッションカバーおよびクッション構造体を提供することを課題とする。
【０００５】
【課題を解決するための手段】
請求項１の発明においては、所定距離離れた複数の平行線の上手方向および下手方向に複数の中心をもって前記所定距離の１／２以上の半径をもって円弧状の凸部を形成し、かつ前記上手方向に中心をもって形成された円弧状の凸部と該上手方向の中心に対応する下手方向に中心をもって形成された円弧状の凸部が前記平行線間の中央で交叉するとともに前記上手方向に中心をもって形成された円弧状の凸部と前記下手方向に中心をもって形成された円弧状の凸部が前記平行線上で交互に形成された表地と、前記表地と裏地との間に臭いを消す消臭材層を設ける。
【０００６】
請求項２の発明においては、前記裏地に、前記表地と同様な円弧状の凸部または縦方向および横方向に所定間隔離れて複数の平行な凸部を形成する。
請求項３の発明においては、前記表地および前記裏地の前記凸部を除いた部分に空気穴を形成する。
【０００７】
請求項４の発明においては、前記表地を織物シートで形成する。
請求項５の発明においては、前記表地を合成皮革シートで形成する。
請求項６の発明においては、請求項１乃至５のいずれかに記載のクッションカバーによってクッション部材を包ませる。
【０００８】
【発明の実施の形態】
本発明の実施の形態を図１〜図３を参照して説明する。図１は第１の実施例の正面図、図２は側面図、図３はＸ−Ｘ′線断面図である。
図１はクッション部材をクッションカバーで包んだクッション構造体１の正面図で、２は表地、３および４は表地２に形成された円弧状の凸部である。
【０００９】
なお図示していないがクッション構造体１の裏面も図１で示すように表地上に円弧状の凸部が形成され、また図１のＡおよびＢで示すクッション構造体１の側面も正面図と連続して図２で示すように表地２上に円弧状の凸部３，４が形成されている。
【００１０】
表地２は糸を織った布でできており、凸部３および４は横糸を凸部の位置でたるませた織成によって形成してもよく、また太さの異なる２本の横糸を使用し、凸部の位置を太糸で織る編成によって形成してもよい。
【００１１】
凸部３および凸部４は図４で示されるように形成される。図１に示すクッション構造体１の長手方向と直交する方向に所定距離Ｄ離れて複数の仮想の平行線Ｌｍ  を設け、凸部３は、この平行線Ｌｍ  の下手方向に複数の中心Ｒ３ｎをもって半径がＤ／２以上として円弧状に形成されている。
【００１２】
また、凸部４は平行線Ｌｍ  の上手方向に複数の中心Ｒ４ｎをもって、凸部３と同じ半径で円弧状に形成されている。
また円弧状の凸部３および４は、隣り合う平行線の中央位置にある仮想の中央線Ｃｍ−１  およびＣｍ  上で交叉し、隣り合う平行線Ｌｍ−１  およびＬｍ＋１  上に中心を持って形成された円弧上の凸部３および４の中央線Ｃｍ−１  およびＣｍ  上での交叉点と一致するように形成されている。
【００１３】
また円弧状の凸部３および４は平行線Ｌｍ  上で所定間隔ｄ１  およびｄ２  をもって交互に形成されている。
【００１４】
図３は図１のＸ−Ｘ′線の断面図を示す。
図３において、２は前述した表地であり、３ｎ  および４ｎ  は前述した円弧状の凸部である。
５はベットの場合はマット、フトンの場合は綿等のクッション部材である。
【００１５】
また、９はクッションカバーであり、クッション部材５を包んでいる。
クッションカバー９は、表地２と裏地６との間に、臭いを消すために竹炭等の木炭類または活性炭等の消臭材７の層が設けられている。
【００１６】
８Ａおよび８Ｂは消臭材７の割れた粉末が表地２および裏地６を介して外に飛び散らないようにするための消臭材カバーである。
【００１７】
このようにクッションカバー９に消臭材７の層を設けることにより、ベットやフトンに寝転んだり寝返りをしたときにクッション部材５より放出される悪臭を消臭材７が消臭し、不快感を感じることがなくなる。
【００１８】
またクッションカバー９の表地２上には円弧状の凸部３ｎ  および４ｎ  がクッション構造体１の長手方向と直交する方向に中心を持って形成されているので、クッション構造体１の上に敷かれたシーツは凸部３ｎ  および４ｎ  による滑り止めによって寝転んだり寝返りをしてもシーツの寝じわを無くすことができる。
【００１９】
また凸部が円弧状に形成されているので、直線状に形成された場合に対して、シーツを介した凸部の肌触りの不快感を無くし、安らぎを与えることができる。
なお実施例ではクッション部材がベットのマットやフトンとしたが、これらに限定するものではなく、これ以外のクッション部材であってもよい。
【００２０】
つぎに、図５を参照して、本発明の第２の実施例を説明する。
椅子やソファー等の表地としては織布等の上に液体に可溶な物質を混在させたウレタン系、ポリアミド系、ポリアミノ酸系等のポリマを塗布し、塗布後可溶性物質を抽出して多孔質の被膜を得た合成皮革が使用されている。
【００２１】
第２の実施例はこのような合成皮革が第１の実施例で説明した表地２に使用されている場合に対応するものである。
なお表地２は合成皮革の他に織物に繊維素誘電体や軟質ＰＶＣなどを塗布あるいは積層した人造皮革であってもよい。
【００２２】
このような合成皮革または人造皮革を表地２に採用した場合は通気性が悪いため、人が椅子やソファーに腰を下ろしたとき、クッション部材５に含まれている空気の逃げ道が無くなり、腰が落ち付くまでに長時間を要する。
【００２３】
したがって、図５（Ａ）の表地２の正面図および（Ｂ）の表地の断面図に示されるように、凸部３および４を除いた部分に空気穴１０および１１を設ける。
また、図３で説明した裏地６も合成皮革または人造皮革である場合は、図５（Ｃ）に示されるように、クッション部材５との間に空気の放出を容易にするための凸部１２を設けると共に凸部１２を除く部分に空気穴１３を設ける。
【００２４】
なお、第１の実施例で説明した表地２が気密性の高い布である場合は、空気穴１０，１１を設けるようにしてもよい。
なお、椅子やソファーに適用する場合は、第１の実施例で説明したと同様に、クッション部材５の上下および側面の全てをクッションカバー９で包むようにして良いが、目に見えない下面は他の布等で代えてもよい。
【００２５】
また、椅子やソファーに適用する場合は、図４で説明した平行線Ｌｍ  を腰を下ろす方向と一致するようにする。このように一致するようにすることによって、浅く腰をかけて背伸びをしても、表地２に形成された凸部が作用して椅子やソファーより滑り落ちることがなくなる。
【００２６】
【発明の効果】
以上説明したように、クッションカバーの表面に円弧状の凸部を形成した表地と裏地との間に消臭材層を設けるようにしたので、クッション部材より放出される悪臭を消臭し、また滑りを無くすことができる。
【図面の簡単な説明】
【図１】本発明の第１の実施例の正面図である。
【図２】第１の実施例の側面図である。
【図３】第１の実施例のＸ−Ｘ′線断面図である。
【図４】円弧状の凸部の説明図である。
【図５】本発明の第２の実施例の説明図である。
【符号の説明】
１                クッション構造体
２                表地
３，４，１２      凸部
５                クッション部材
６                裏地
７                消臭材
８Ａ，８Ｂ        消臭材カバー
９                クッションカバー
１０，１１，１３  空気穴
【図１】
0003607891.tif 000002
【図２】
0003607891.tif 000003
【図３】
0003607891.tif 000004
【図４】
0003607891.tif 000005
【図５】
0003607891.tif 000006